(57)【要約】【課題】冷蔵室内に配した収納ケースを低コストで高湿度に維持できる冷蔵庫を提供すること。【解決手段】貯蔵物を冷蔵保存する冷蔵室と、前記冷蔵室内に前面を開放して設けられる隔離室と、前記隔離室内にスライド自在に配されるとともに上面に開口して側壁に前方に下がる傾斜面を有する収納ケースと、前記隔離室の上端部で枢支されるとともにスライドする前記収納ケースの前記傾斜面との摺動によって前記収納ケースの前壁と前記隔離室の上壁との間を開閉する蓋部と、前記蓋部の上端に配して前記蓋部と前記隔離室の上壁との間を覆う可撓性の第１パッキンと、前記蓋部の下端に配して前記蓋部と前記収納ケースの前壁との間を覆う可撓性の第２パッキンとを備えたこととする。【選択図】図３
2013120002.tif 000002
【特許請求の範囲】
【請求項１】
貯蔵物を冷蔵保存する冷蔵室と、前記冷蔵室内に前面を開放して設けられる隔離室と、前記隔離室内にスライド自在に配されるとともに上面に開口して側壁に前方に下がる傾斜面を有する収納ケースと、前記隔離室の上端部で枢支されるとともにスライドする前記収納ケースの前記傾斜面との摺動によって前記収納ケースの前壁と前記隔離室の上壁との間を開閉する蓋部と、前記蓋部の上端に配して前記蓋部と前記隔離室の上壁との間を覆う可撓性の第１パッキンと、前記蓋部の下端に配して前記蓋部と前記収納ケースの前壁との間を覆う可撓性の第２パッキンとを備えたことを特徴とする冷蔵庫。
【請求項２】
前記蓋部と前記隔離室の壁面との一方に設けられる軸部と、他方に設けられて前記軸部に嵌合する軸孔とを有し、前記軸孔を長孔に形成して前記収納ケースのスライドによって前記蓋部が前後に移動することを特徴とする請求項１に記載の冷蔵庫。
【請求項３】
前記長孔の前記軸部に対する摺動面を傾斜させたことを特徴とする請求項２に記載の冷蔵庫。
【請求項４】
前記隔離室内の温度が前記隔離室の周囲の温度よりも高いことを特徴とする請求項１〜請求項３のいずれか１項に記載の冷蔵庫。
【発明の詳細な説明】
【技術分野】
【０００１】
本発明は、冷蔵室内に隔離室を備える冷蔵庫に関する。
【背景技術】
【０００２】
従来の冷蔵庫は特許文献１に開示されている。特許文献１に記載されている冷蔵庫は貯蔵物を冷蔵保存する冷蔵室と氷を製造する製氷室と貯蔵物を冷凍保存する冷凍室とを備えている。また冷蔵室には収納ケースがスライド自在に配置されており、収納ケースを引き出して野菜や果物等の貯蔵物が収納される。収納ケースの上方には仕切板が配置されることで、冷蔵室内に吹き出された冷気が収納ケースに収納された野菜に直接当たらないように構成されており野菜の保存に適した温度を保っている。
【０００３】
また、冷蔵室内には使用者の押圧操作によって収納ケース内にミストを噴霧するミスト発生装置が設けられる。冷蔵室の扉の開放によって収納ケース内の湿度が低下すると、ミスト発生装置の駆動によって収納ケース内の湿度が上昇する。これにより、収納ケース内の貯蔵物の鮮度劣化を防止することができる。
【先行技術文献】
【特許文献】
【０００４】
【特許文献１】特開２００９−３０８６６号公報
【発明の概要】
【発明が解決しようとする課題】
【０００５】
しかしながら、上記従来の冷蔵庫によると、収納ケースは前面を開放されるため内部の湿度がミスト発生装置により上昇しても冷蔵室内の周囲の湿度まで急速に低下する。このため、依然として収納ケース内の貯蔵物の鮮度劣化が発生する問題があった。また、ミスト発生装置が設けられるため冷蔵庫のコストが大きくなる問題もあった。
【０００６】
本発明は、冷蔵室内に配した収納ケースを低コストで高湿度に維持できる冷蔵庫を提供することを目的とする。
【課題を解決するための手段】
【０００７】
上記目的を達成するために本発明は、貯蔵物を冷蔵保存する冷蔵室と、前記冷蔵室内に前面を開放して設けられる隔離室と、前記隔離室内にスライド自在に配されるとともに上面に開口して側壁に前方に下がる傾斜面を有する収納ケースと、前記隔離室の上端部で枢支されるとともにスライドする前記収納ケースの前記傾斜面との摺動によって前記収納ケースの前壁と前記隔離室の上壁との間を開閉する蓋部と、前記蓋部の上端に配して前記蓋部と前記隔離室の上壁との間を覆う可撓性の第１パッキンと、前記蓋部の下端に配して前記蓋部と前記収納ケースの前壁との間を覆う可撓性の第２パッキンとを備えたことを特徴としている。
【０００８】
この構成によると、冷蔵室内に設けた隔離室内にスライド自在の収納ケースが配される。収納ケースの収納状態では蓋部によって収納ケースの前壁と隔離室の上壁との間が閉じられる。この時、第１パッキンによって蓋部と隔離室の上壁との間が覆われ、第２パッキンによって蓋部と収納ケースの前壁との間が覆われる。これにより、収納ケース内への冷気の流入及び流出が抑制され、貯蔵物から放出される水分によって収納ケース内が高湿度に維持される。収納ケースを引き出すと収納ケースの側壁に設けた傾斜面が蓋部に摺動し、蓋部が回動して開かれる。
【０００９】
また本発明は、上記構成の冷蔵庫において、前記蓋部と前記隔離室の壁面との一方に設けられる軸部と、他方に設けられて前記軸部に嵌合する軸孔とを有し、前記軸孔を長孔に形成して前記収納ケースのスライドによって前記蓋部が前後に移動することが望ましい。
【００１０】
また本発明は、上記構成の冷蔵庫において、前記長孔の前記軸部に対する摺動面を傾斜させたことが望ましい。
【００１１】
また本発明は、前記隔離室内の温度が前記隔離室の周囲の温度よりも高いことが望ましい。
【発明の効果】
【００１２】
本発明によると、隔離室内に配した収納ケースとの摺動により回動して収納ケースの前壁と隔離室の上壁との間を開閉する蓋部の上端及び下端に第１、第２パッキンを設けたので、隔離室に配した収納ケース内を低コストで容易に高湿度に維持することができる。
【図面の簡単な説明】
【００１３】
【図１】本発明の第１実施形態の冷蔵庫を示す斜視図
【図２】本発明の第１実施形態の冷蔵庫を示す正面図
【図３】本発明の第１実施形態の冷蔵庫の隔離室を示す側面断面図
【図４】図３のＨ部の拡大図
【図５】図３のＪ部の拡大図
【図６】本発明の第２実施形態の冷蔵庫の隔離室の蓋部の上部を示す拡大図
【図７】本発明の第３実施形態の冷蔵庫の隔離室の蓋部の上部を示す拡大図
【発明を実施するための形態】
【００１４】
[第１実施形態]
以下に本発明の実施形態を図面を参照して説明する。図１は第１実施形態の冷蔵庫を示す斜視図である。冷蔵庫１は断熱箱体２の上下に夫々観音開き式の断熱扉３、４を備え、断熱扉３は後述する冷蔵室５（図２参照）の前面を開閉し、断熱扉４は後述する冷凍室６（図２参照）の前面を開閉する。図２は図１に示す冷蔵庫１の断熱扉３、４を開いたとき（図２において断熱扉４は取り外されている）の冷蔵庫１を示す正面図である。
【００１５】
断熱箱体２の上部には冷蔵室５が設けられ、断熱箱体２の下部には冷蔵室５に対して断熱壁７を介して冷凍室６が設けられている。冷蔵室５は貯蔵物が冷蔵保存され、冷凍室６は貯蔵物が冷凍保存される。以下、冷蔵室５及び冷凍室６について夫々説明する。
【００１６】
冷蔵室５の奥壁５ａにはその中央部において上下方向に延びる金属製の冷却パネル８が設けられている。この冷却パネル８は奥壁５ａとともに冷気が流通する不図示の冷気通路（ダクト）を形成する。冷気は冷気通路の下方から上方に向かって流通し、冷気通路の上部に設けられる吐出口から側方に向かって冷蔵室５内に吐出される。吐出口から吐出された冷気は冷蔵庫の奥壁５ａに沿って流通し、左右の端部で向きを変えて冷蔵室５の側壁５ｂ，５ｃに沿って前方に流通する。冷蔵室５の側壁５ｂ，５ｃに沿って流通する冷気は流速が低下し、冷蔵室の前部から中心部に到達して貯蔵物を冷却する。これにより貯蔵物に直接当たる冷気を低減して貯蔵物の乾燥を抑制することができる。また、冷蔵室５内において上部の温度よりも下部の温度を高くすることができ、貯蔵物の適正保存温度に応じて適切な位置に貯蔵物を保存することができる。
【００１７】
また、冷却パネル８はそれ自体が冷気通路を流通する冷気によって冷却されることで、冷気通路の吐出口から吐出される冷気とともに冷蔵室５内に保存される貯蔵物を冷却する。従って、冷却効果が上昇して冷却のために必要な消費電力を抑制することができ、省エネルギーを図ることができる。
【００１８】
冷蔵室５の下部にはタンク室１３、野菜室１４、フルーツケース１５、チルド室（フレッシュケース）１６が設けられている。なお、本明細書では野菜室１４を隔離室として以下本実施形態について説明するが、本実施形態の冷蔵庫１の冷蔵室５が備える隔離室としては野菜室１４に限られるものではなく、上述したフルーツケース１５やチルド室１６などの冷蔵室５内に設けられる任意の囲い空間を隔離室としてもよい。
【００１９】
タンク室１３は製氷用の水タンク１３ａを収納する。野菜室１４は冷蔵室５の上部に対して隔離され、野菜が収納される。フルーツケース１５は冷蔵室５の上部に対して隔離され、フルーツが収納される。野菜室１４及びフルーツケース１５は冷蔵室５の上部から吐出して下方に流通した冷気によって冷却されるため周囲よりも高温の野菜やフルーツの保存に適した温度に維持される。チルド室１６は冷蔵室５の上部に対して隔離され、冷気通路の下部から冷気が吐出されるため周囲よりも低温に維持される。尚、本実施形態では野菜室１４とフルーツケース１５を別個の構成としているが、野菜室１４とフルーツケース１５をあわせて一つの隔離室を構成することとしてもよい。
【００２０】
野菜室１４内には収納ケース２１がスライド自在に配されている。また野菜室１４の上端部には収納ケース２１の前壁と野菜室１４の上壁を形成する仕切板９との間を開閉する蓋部２２が枢支されている。収納ケース２１は上面を開口して設けられており、その後方は野菜室１４の上壁によって覆われている。一方、収納ケース２１の上面開口の前方は収納ケース２１が野菜室１４内に差し込まれている状態において蓋部２２によって覆われる。つまり蓋部２２は収納ケース２１の出入動作（スライド）に応じて回動し、収納ケース２１の前壁と野菜室１４の上壁との間を開閉するものである。
【００２１】
冷凍室６には自動製氷機を備える氷保管箱１０、３つの小冷凍ケース１１、２つの大冷凍ケース１２が設けられている。氷保管箱１０はタンク室１３（水タンク１３ａ）から自動製氷機に水を供給して製氷させて貯氷する。小冷凍ケース１１及び大冷凍ケース１２には任意の貯蔵物が冷凍保存される。
【００２２】
次に本実施形態の野菜室１４について詳説する。図３は野菜室１４を示す側面断面図である。また図４は図３のＨ部の拡大図であり、図５は図３のＪ部の拡大図である。蓋部２２はその左右上部に軸部２２ａが設けられている。一方、野菜室１４の上壁を構成する仕切板９には蓋部２２の軸部２２ａに対応する位置に軸孔９ａが設けられている。軸孔９ａは円形孔に形成されており、蓋部２２は各軸部２２ａが仕切板９の軸孔９ａに嵌合されることで枢支される。
【００２３】
なお、本実施形態及び以降の実施形態において野菜室１４の上壁（仕切板９）に軸孔が設けられ、蓋部２２に軸部が設けられることとしているが、野菜室１４の上壁に軸部が設けられ、蓋部２２に軸孔が設けられることとしてもよい。
【００２４】
収納ケース２１の側壁２１ｂには前方が下がる傾斜面２１ｃが形成されている。蓋部２２の側壁２２ｂは曲面部２２ｃを介して略Ｌ字状に形成される。図３に示すように収納ケース２１が野菜室１４内に収納されている状態では、蓋部２２の側壁２２ｂの下端面が収納ケース２１の側壁２１ｂの傾斜面よりも前方に当接する。これにより、蓋部２２によって野菜室１４の前面が閉じられる。
【００２５】
収納ケース２１を野菜室１４から引き出すと、蓋部２２の側壁２２ｂが傾斜面２１ｃに摺動して蓋部２２が軸部２２ａを中心に回動する。そして、蓋部２２の側壁２２ｂの後端面が収納ケース２１の側壁２１ｂ上に乗り上げると、収納ケース２１内に貯蔵物を出し入れすることができる。
【００２６】
蓋部２２はその上端及び下端に可撓性の上部パッキン（第１パッキン）３０及び下部パッキン（第２パッキン）３１が配置されている。収納ケース２１が野菜室１４内に収納されている（差し込まれている）状態において上部パッキン３０は蓋部２２と野菜室１４の上壁（仕切板９）との間を覆い、下部パッキン３１は蓋部２２と収納ケース２１との間を覆う。これによって野菜室１４が閉鎖される。
【００２７】
上述したように野菜室１４は冷蔵室５内において温度が比較的高い（冷気通路の吐出口から最も遠い）冷蔵室５の下部に設けられるとともに、野菜室１４の周囲の冷気が野菜室１４内に侵入しないように閉鎖されるため、野菜室１４の周囲の温度、湿度に比べて高温度、高湿度を維持することが容易となる。
【００２８】
本実施形態によると、野菜室１４（隔離室）内に配した収納ケース２１との摺動により回動して収納ケース２１の前壁と仕切板９との間を開閉する蓋部２１の上端及び下端に上部パッキン３０（第１パッキン）及び下部パッキン３１（第２パッキン）を設けたので、野菜室１４に配した収納ケース２１内を低コストで容易に高湿度に維持することができる。従って、収納ケース２１内に収納した野菜等の貯蔵物の鮮度劣化を防止することができる。
【００２９】
また、野菜室１４の温度が野菜室１４の周囲の温度よりも高いので収納ケース２１内に収納した野菜等の貯蔵物の鮮度劣化をより確実に防止することができる。
【００３０】
本実施形態において、仕切壁９と上部パッキン３０との間に所定の隙間を設けてもよい。これにより、蓋部２２の回動時に仕切壁９と上部パッキン３０との干渉を防止し、蓋部２２を円滑に開閉して収納ケース２１を容易に引き出すことができる。
【００３１】
[第２実施形態]
図６は第２実施形態の冷蔵庫１の野菜室１４の蓋部２２の上部を示す拡大図であり、前述の図４と同じ部分を示している。説明の便宜上、前述の図１〜図５に示す第１実施形態と同様の部分には同一の符号を付している。本実施形態は仕切壁９に設けた軸孔９ａが前後方向に延びる長孔に形成されている。その他の部分は第１実施形態と同様である。
【００３２】
収納ケース２１が野菜室１４内に差し込まれると、収納ケース２１と蓋部２２との摩擦によって軸部２２ａが軸孔９ａ内を後方に移動する。これにより、上部パッキン３０及び下部パッキン３１をそれぞれ確実に仕切壁９及び収納ケース２１の前壁に当接させることができる。尚、後方に移動する際に蓋部２２に当接する突起を収納ケース２１に設けてもよい。これにより、野菜室１４内に差し込まれた収納ケース２１によって確実に蓋部２２を後方に移動させることができる。
【００３３】
また、収納ケース２１を野菜室１４から引き出すと、蓋部２２は収納ケース２１と摺動して前方に移動する。これにより、軸孔２１ａの前端に軸部２２ａが配され、蓋部２２が回動して開かれる。この時、上部パッキン３０が仕切壁９の前端から離れて蓋部２２が回動する。
【００３４】
本実施形態によると、第１実施形態と同様の効果を得ることができる。加えて、軸孔２２ａを長孔に形成したので、上部パッキン３０及び下部パッキン３１をそれぞれ確実に仕切壁９及び収納ケース２１の前壁に当接させることができる。従って、収納ケース２１内を確実に密閉して高湿度に維持することができる。
【００３５】
また、収納ケース２１を引き出した際に上部パッキン３０が仕切壁９の前端から離れる。これにより、蓋部２２の回動時に仕切壁９と上部パッキン３０との干渉を防止し、蓋部２２を円滑に開閉して収納ケース２１を容易に引き出すことができる。
【００３６】
従って、収納ケース２１が収納位置にあるときは上部パッキン３０が蓋部２２と野菜室１４の上壁（仕切板９）との間をしっかりと覆うので野菜室１４の閉鎖性（密封性）を確保することができる。一方、収納ケース２１を収納位置から引き出した際には上部パッキン３０が野菜室１４の上壁（仕切板９）から離れるので収納ケース２１を引出位置にスライドする過程で上部パッキン３０と野菜室１４の上壁（仕切板９）が干渉することによってスライド性能が悪化することを防ぐことができる。
【００３７】
[第３実施形態]
図７は第３実施形態の冷蔵庫１の野菜室１４の蓋部２２の上部を示す拡大図であり、前述の図６と同じ部分を示している。説明の便宜上、前述の図６に示す第２実施形態と同様の部分には同一の符号を付している。本実施形態は仕切壁９に設けた軸孔９ａが前後方向に延びる長孔に形成され、軸部２２ａとの摺動面である下面が後方に下がる傾斜面に形成されている。その他の部分は第２実施形態と同様である。
【００３８】
軸孔９ａの軸部２２ａとの摺動面が傾斜面に形成されるため、収納ケース２１を野菜室１４に収納した状態では蓋部２２が自重によって降下し軸部２２ａが軸孔９ａ内を後方に移動する。これにより、上部パッキン３０及び下部パッキン３１をそれぞれ確実に仕切壁９及び収納ケース２１の前壁に当接させることができる。
【００３９】
尚、軸孔９ａの上面を下面に平行な傾斜面に形成してもよい。また、軸部を野菜室１４に設けて軸孔を蓋部２２に設けた場合は、軸孔の上面が軸部との摺動面を形成する。
【００４０】
よって収納ケース２１が野菜室１４に差し込まれると収納ケース２１と共に軸部２２ａが収納ケース２１の傾斜面に沿って差し込み方向に移動し、収納ケース２１が野菜室１４に収納されている際に軸部２２ａは軸孔９ａの最奥下部（図４では紙面に向かって右下端）を支点として回動する。一方、収納ケース２１を野菜室１４から引き出す場合には収納ケース２１と共に軸部２２ａが収納ケース２１の傾斜面に沿って引き出し方向に移動し、収納ケース２１が野菜室１４から引き出されている際に軸部２２ａは軸孔９ａの最前上部（図４では紙面に向かって左上端）を支点として回動する。
【００４１】
本実施形態の冷蔵室３が備える野菜室１４において軸部２２ａは、収納ケース２１の引き出し動作に応じて前後方向（収納ケース２１の出入方向）に加えて上下方向（収納ケース２１の出入方向に垂直な方向）にも移動する。従って収納ケース２１を収納位置から引き出した際には上部パッキン３０が野菜室１４の上壁（仕切板９）から水平方向及び垂直方向に離れるので収納ケース２１を引出位置にスライドする過程で上部パッキン３０と野菜室１４の上壁（仕切板９）が干渉することによってスライド性能が悪化することを防ぐことができる。
【００４２】
本実施形態によると、第２実施形態と同様の効果を得ることができる。加えて、軸孔９ａの軸部２２ａとの摺動面が傾斜面に形成されるため、蓋部２２が閉じた際に自重によって後方に移動する。従って、上部パッキン３０及び下部パッキン３１をそれぞれより確実に仕切壁９及び収納ケース２１の前壁に当接させることができる。
【００４３】
上記各実施形態において軸孔９ａは野菜室１４の上壁を構成する仕切板９が備えることとし、軸部２２ａが当該軸孔９ａに嵌合されることで野菜室１４（仕切板９）に枢支されることとしているが、これに限られるものではない。本実施形態において蓋部２２は野菜室１４の上部周辺を軸部として枢支されて上下に回動されることで収納ケース２１の開口部を開閉する（野菜室１４を開放、密封する）ものであればよい。従って軸孔９ａは野菜室１４の一部を構成する部材（例えば上述した仕切板９）とは別の部材が備えることとしてもよい。すなわち、本実施形態の蓋部２２は蓋部が有する軸部が野菜室１４（隔離室１４）の上端部近傍に設けられた軸孔９ａに嵌合されることで枢支されるものであることとしてもよい。
【産業上の利用可能性】
【００４４】
本発明によると、冷蔵室内に隔離室を備える冷蔵庫に利用することができる。
【符号の説明】
【００４５】
１    冷蔵庫
２    断熱箱体
３    断熱扉
４    断熱扉
５    冷蔵室
６    冷凍室
７    断熱壁
８    冷却パネル
９    仕切板
１０    氷保管箱
１１    小冷凍ケース
１２    大冷凍ケース
１３    タンク室
１４    野菜室
１５    フルーツケース
１６    チルド室
２１    ケース
２２    蓋部
３０    上部パッキン（第１パッキン）
３１    下部パッキン（第２パッキン）
【図１】
2013120002.tif 000003
【図２】
2013120002.tif 000004
【図３】
2013120002.tif 000005
【図４】
2013120002.tif 000006
【図５】
2013120002.tif 000007
【図６】
2013120002.tif 000008
【図７】
2013120002.tif 000009